(57)【要約】【課題】回折迷光の影響を抑制し得る。【解決手段】光ディスク装置１は、反射光ビームＬ１３を多段状に鋸歯形状の回折格子が形成されてなるブレーズドＨＯＥとしての分割導光部４７によって回折し、１次光ビームである分割光ビームＬ１７Ｃ及びＬ１７Ｄを受光する検出領域３２Ｃ及び３２Ｄと、反射光ビームＬ１２の光軸の延長線を中心としたとき、検出領域３２Ｃ及び３２Ｄよりも遠方に設けられ、反射光ビームＬ１４及びＬ１５を第２の受光部としての検出領域３２Ｉ及び３２Ｌによって受光し、分割導光部４７は、分割光ビームＬ１７Ｃ及びＬ１７Ｄを検出領域３２Ｃ及び３２Ｄに受光させつつ、強度の大きい高次の回折光ビームである回折迷光ＵＭを第２の受光部である検出領域３２Ｉ及び３２Ｌに受光させないように導光領域４７Ｃ及び４７Ｄに設けられた回折格子の格子角度が設定されるようにした。【選択図】図２３
2008282454.tif 000002
【特許請求の範囲】
【請求項１】
光源から出射した光ビームを、対物レンズを介して光ディスクに対して照射する光ピックアップにおいて、
多段状に鋸歯形状の回折格子が形成されてなり、上記光ビームが上記光ディスクで反射されてなる反射光ビームを回折し回折光ビームとするブレーズドＨＯＥ（Holographic Optical Element）と、
上記回折光ビームのうち、１次光ビームを受光する第１の受光部と、
上記反射光ビームの光軸の延長線を中心としたとき、上記第１の受光部よりも遠方に設けられ、上記反射光ビームの一部を受光する第２の受光部と
を具え、
上記ブレーズドＨＯＥは、
上記１次光ビームを上記第１の受光部に受光させつつ、上記回折光ビームのうち、強度の大きい高次の回折光ビームを上記第２の受光部に受光させないように上記回折格子の格子角度が設定されている
ことを特徴とする光ピックアップ。
【請求項２】
上記ブレーズドＨＯＥは、
上記反射光ビームを、上記光ディスクの信号記録層の所望トラックに対する上記光ビームのずれに応じた光量の変化を検出するための２つのずれ分割光ビームと、上記光ビームの光軸に対する上記対物レンズの移動量を検出するための複数のオフセット分割光ビームとに分割する複数の分割領域を有し、
上記第１の受光部は、
上記２つのずれ分割光ビーム及び上記複数のオフセット分割光ビームを対応する受光領域によってそれぞれ受光してトラッキングエラー信号を生成するための検出信号をそれぞれ生成し、
上記ブレーズドＨＯＥは、
上記複数の分割領域のうち、上記２つのずれ分割光ビームが通過する２つのずれ分割領域に対する上記回折格子の格子角度の設定により、上記１次光ビームを上記第１の受光部に受光させつつ、上記回折光ビームのうち、強度の大きい高次の回折光ビームを上記第２の受光部に受光させない
ことを特徴とする請求項１に記載の光ピックアップ。
【請求項３】
上記反射光ビーム又は上記回折光ビームを、０次光でなるメイン反射光ビームと、±１次光でなる２つのサブ反射光ビームとに分離すると共に、当該２つのサブ反射光ビームの回折角度を互いに相違させることによりその焦点距離を互いに相違させる光分離部と、
上記２つのサブ反射光ビームのうち、帯状の中心部分を除く両端部分を対応する受光領域によってそれぞれ受光して上記対物レンズの上記信号記録層に対する焦点のずれ量を表すフォーカスエラー信号を生成するための検出信号をそれぞれ生成する第３の受光部と
を具え、
上記第１の受光部は、
上記メイン反射光ビームを受光し、
上記第２の受光部は、
上記２つのサブ反射光ビームの上記中心部分を受光する
ことを特徴とする請求項２に記載の光ピックアップ。
【請求項４】
上記ブレーズドＨＯＥは、
上記２つの上記ずれ分割領域における上記回折格子の格子角度が同一である
ことを特徴とする請求項３に記載の光ピックアップ。
【請求項５】
上記第１の受光部における各上記受光領域と、上記第２の受光部の各上記受光領域とが、
一直線上に配置されている
ことを特徴とする請求項２に光ピックアップ。
【請求項６】
上記ブレーズドＨＯＥは、
上記第１の受光部上において、上記ずれ分割光ビームの一方の端部と上記オフセット分割光ビームの一方の端部とがほぼ一直線上に並ぶように上記回折格子の格子角度が設定されている
ことを特徴とする請求項４に記載の光ピックアップ。
【請求項７】
上記ブレーズドＨＯＥは、
上記高次の回折光ビームを上記第３の受光部に受光させる
ことを特徴とする請求項３に記載の光ピックアップ。
【請求項８】
光源から出射した光ビームを、対物レンズを介して光ディスクに対して照射する光ディスク装置において、
多段状に鋸歯形状の回折格子が形成されてなり、上記光ビームが上記光ディスクで反射されてなる反射光ビームを回折し回折光ビームとするブレーズドＨＯＥ（Holographic Optical Element）と、
上記回折光ビームのうち、１次光ビームを受光する第１の受光部と、
上記反射光ビームの光軸の延長線を中心としたとき、上記第１の受光部よりも遠方に設けられ、上記反射光ビームの一部を受光する第２の受光部と
を具え、
上記ブレーズドＨＯＥは、
上記１次光ビームを上記第１の受光部に受光させつつ、上記回折光ビームのうち、強度の大きい高次の回折光ビームを上記第２の受光部に受光させないように上記回折格子の格子角度が設定されている
ことを特徴とする光ディスク装置。
【発明の詳細な説明】
【技術分野】
【０００１】
本発明は光ピックアップ及び光ディスク装置に関し、例えばＳＳＤ法及び１ビームＰＰ（Push Pull）によるフォーカス制御及びトラッキング制御を行う光ディスク装置に適用して好適なものである。
【背景技術】
【０００２】
従来、光ディスク装置においては、光ディスクに対して音楽コンテンツや映像コンテンツ、或いは各種データ等の情報を記録し、また当該光ディスクから当該情報を再生するようになされたものが広く普及している。
【０００３】
実際上、光ディスク装置は、光ディスクの信号記録層に同心円状又は螺旋状に形成されたトラックに対して書込用の光ビームを照射することにより、所定形状のピットを形成して情報の記録を行う。また光ディスク装置は、当該トラックに読出用の光ビームを照射してその反射光ビームの一部を基に、記録された情報を読み出すための再生ＲＦ信号を生成することにより、情報の再生を行うようになされている。
【０００４】
このとき光ディスク装置は、光ディスクの信号記録層に光ビームを合焦させるためのフォーカスエラー信号を生成し、当該フォーカスエラー信号を基に当該光ビームの焦点距離を制御して光ディスクの信号記録層に光ビームを合焦させる、いわゆるフォーカス制御を行うようになされている。
【０００５】
また光ディスク装置は、光ディスクからの反射光ビームの一部を検出して所定の信号処理を施すことにより、光ビームの照射位置と所望のトラックとのずれ量に応じたトラッキングエラー信号を生成し、当該トラッキングエラー信号を基に当該光ビームの照射位置を制御して当該ずれ量を削減させる、いわゆるトラッキング制御を行うようになされている。
【０００６】
近年、光ディスク装置として、ＢＤ（Blu-ray Disc、登録商標）に対する情報の再生又は記録を行うものがある。この光ディスク装置では、ＢＤに対してＤＶＤ（Digital Versatile Disc）よりも高速かつ高密度での再生又は記録を行う必要がある。このため光ディスク装置では、従来から広く使用されているＤＰＰ（Differential Push Pull）法ではなく、高精度なトラッキング制御が可能な１スポットＰＰ法やＤＰＤ（Differential Phase Detection）法などを使用するようになされたものがある。
【０００７】
このような光ディスク装置として、反射光ビームを受光するフォトディテクタを、使用するトラッキング制御方法に合わせて、必要な数の検出領域に分割して使用するようになされたものが提案されている（例えば、特許文献１参照）。
【特許文献１】特開２００６−３４４２９６公報
【発明の開示】
【発明が解決しようとする課題】
【０００８】
ところで、ＢＤ−ＲＥ（Rewritable）ディスクに対応した光ディスク装置では、情報を読み出すための光ビームがＤＶＤに比較して短波長になり、ＮＡ（いわゆる開口数）が上がる為、光ディスク上でのスポットサイズが小さくなり、スポットのエネルギー密度が増加することになる。
【０００９】
これに伴い、かかる光ディスク装置では、記録された信号の読取耐久性の観点から、光ディスクに対する読取用の光ビームの照射パワーに上限が設けられており、その結果光ディスクからの反射光ビームの強度は微弱なものとなる。
【００１０】
さらに光ディスク装置では、光ビームの光源として用いられるレーザダイオードが低パワーになるほどノイズが増加するという特徴を持っているため、各検出信号にレーザノイズが重畳されることになる。このとき光ディスク装置は、フォトディテクタにおいて微弱な各検出信号をアンプにより増幅するため、ＲＦ信号に対してレーザノイズに加えてアンプノイズも重畳させてしまうことになる。
【００１１】
このため光ディスク装置は、特にフォトディテクタの検出領域が多数に分割されている場合、それぞれノイズが重畳された多数の検出信号を加算してＲＦ信号を生成するため、当該フォトディテクタの分割数が少ない場合と比較して、多くのノイズが含まれるＲＦ信号を生成することになり、ＲＦ信号読み出し特性を低下させてしまう。
【００１２】
そこで、反射光ビームを多段状に鋸歯形状の回折格子が形成された複数の領域を有するブレーズドＨＯＥ（Holographic Optical Element）によって複数の分割光ビーム（１次光ビーム）に回折し、必要に応じて２以上の分割光ビームを１つの検出領域で受光することにより、フォトディテクタの検出領域の数を減少させることができると考えられる。
【００１３】
しかしながら、光ディスク装置は、かかるブレーズドＨＯＥを用いた場合、１次光ビームだけでなく比較的強度の大きい不要な高次（２次以上）の回折光ビームを発生させることになる。この光ディスク装置では、反射光ビームの延長線を中心としたときに分割光ビームが受光されるべき検出領域（第１の受光部）よりも遠方に他の検出領域（第２の受光部）が存在する場合、当該他の検出領域において当該高次の回折光ビームを受光する可能性があるという問題があった。
【００１４】
本発明は以上の点を考慮してなされたもので、意図しない強度の大きい高次の回折光ビームを第２の受光部で受光するのを防止し得る光ピックアップ及び光ディスク装置を提案しようとするものである。
【課題を解決するための手段】
【００１５】
かかる課題を解決するため本発明の光ピックアップにおいては、光源から出射した光ビームを、対物レンズを介して光ディスクに対して照射し、多段状に鋸歯形状の回折格子が形成されてなり、光ビームが光ディスクで反射されてなる反射光ビームを回折し回折光ビームとするブレーズドＨＯＥと、回折光ビームのうち、１次光ビームを受光する第１の受光部と、反射光ビームの光軸の延長線を中心としたとき、第１の受光部よりも遠方に設けられ、反射光ビームの一部を受光する第２の受光部とを設け、ブレーズドＨＯＥは、１次光ビームを第１の受光部に受光させつつ、回折光ビームのうち、強度の大きい高次の回折光ビームを第２の受光部に受光させないように回折格子の格子角度が設定されているようにした。
【００１６】
これにより、高次の回折光ビームを第２の受光部で受光してしまうのを回避できる。
【００１７】
また本発明の光ディスク装置においては、光源から出射した光ビームを、対物レンズを介して光ディスクに対して照射し、多段状に鋸歯形状の回折格子が形成されてなり、光ビームが光ディスクで反射されてなる反射光ビームを回折し回折光ビームとするブレーズドＨＯＥと、回折光ビームのうち、１次光ビームを受光する第１の受光部と、反射光ビームの光軸の延長線を中心としたとき、第１の受光部よりも遠方に設けられ、反射光ビームの一部を受光する第２の受光部とを設け、ブレーズドＨＯＥは、１次光ビームを第１の受光部に受光させつつ、回折光ビームのうち、強度の大きい高次の回折光ビームを第２の受光部に受光させないように回折格子の格子角度が設定されているようにした。
【００１８】
これにより、高次の回折光ビームを第２の受光部で受光してしまうのを回避できる。
【発明の効果】
【００１９】
本発明によれば、高次の回折光ビームを第２の受光部で受光してしまうのを回避でき、かくして意図しない強度の大きい高次の回折光ビームを第２の受光部で受光するのを防止し得る光ピックアップ及び光ディスク装置を実現できる。
【発明を実施するための最良の形態】
【００２０】
以下、図面について、本発明の一実施の形態を詳述する。
【００２１】
（１）第１の実施の形態
（１−１）光ディスク装置の構成
図１において、光ディスク装置１は、全体としてＢＤ（Blu-ray Disc、登録商標）−ＲＥ（Rewritable）ディスクやＢＤ−ＲＯＭ（Read Only Memory）ディスク等でなる光ディスク１００に対して音楽コンテンツ、映像コンテンツ又は各種データ等の情報を記録し、また当該光ディスク１００から当該情報を再生するようになされている。
【００２２】
システムコントローラ１１は、光ディスク装置１全体を統括制御するようになされており、光ディスク１００が装填された状態で、操作部１２より当該光ディスク１００からの情報の再生命令を取得すると、当該光ディスク１００の信号記録層に記録されている情報を特定するためのアドレス情報ＩＡと共に、情報読出命令ＭＲを駆動制御部１３へ送出する。
【００２３】
駆動制御部１３は、システムコントローラ１１からの情報読出命令に応じて、スピンドルモータ１４を制御することにより光ディスク１００を所定の回転速度で回転させると共に、当該データ読出命令ＭＲ及びアドレス情報ＩＡを基に送りモータ１５を制御することにより、光ピックアップ２０を当該光ディスク１００の径方向に移動させ、当該光ディスク１００の信号記録層におけるアドレス情報ＩＡに応じたトラック（以下、これを所望トラックと呼ぶ）に光ビームを集光した状態で照射させる。
【００２４】
このとき光ピックアップ２０は、光ディスク１００に照射した光ビームが反射されてなる反射光ビームを受光し、その光量に応じた検出信号を生成し、信号処理部１７へ送出する。
【００２５】
信号処理部１７は、この検出信号に基づいて所望トラックに対する光ビームの照射位置のずれ量に応じたトラッキングエラー信号ＳＴＥと光ディスク１００の信号記録層に対する光ビームの焦点のずれ量に応じたフォーカスエラー信号ＳＦＥとを生成してこれらを駆動制御部１３へ送出すると共に、当該検出信号を基に再生ＲＦ信号ＳＲＦを生成して信号変復調部１８へ送出する。
【００２６】
駆動制御部１３は、トラッキングエラー信号ＳＴＥ及びフォーカスエラー信号ＳＦＥに基づいたトラッキング制御信号ＣＴ及びフォーカス制御信号ＣＦを生成し、これらを光ピックアップ２０へ送出する。これに応じて光ピックアップ２０は、トラッキング制御及びフォーカス制御を行い、光ビームの焦点を光ディスク１００の所望トラックに合わせるようになされている。
【００２７】
信号変復調部１８は、再生ＲＦ信号ＳＲＦに対して所定の復調処理や復号化処理等を施すことにより情報を再生し、これを外部機器（図示せず）へ送出する。
【００２８】
また光ディスク装置１は、信号変復調部１８に入力された記録信号に対して所定の変調処理を施し、これを信号処理部１７により記録用の信号に変換した後、光ピックアップ２０から当該記録用の信号に応じた記録用ビームを出射させることにより、記録信号に応じた情報を光ディスク１００に記録する。
【００２９】
このように光ディスク装置１は、光ピックアップ２０から光ディスク１００の信号記録層における所望トラックに対して焦点を合わせた光ビームを照射することにより、所望の情報を再生または記録し得るようになされている。
【００３０】
（１−２）光ピックアップの構成
図２に示すように、光ピックアップ２０は、光集積素子２１の内部から出射された出射光ビームＬ１１を、コリメータレンズ２２により平行光に変換し、１／４波長板２３により直線偏光から円偏光に変換して立ち上げミラー２４により光ディスク１００（図示せず）が存在する前方向へ立ち上げ、対物レンズ２５により当該出射光ビームＬ１１を収束光に変換し、当該光ディスク１００における信号記録層上の所望トラックに合焦させる。
【００３１】
また光ピックアップ２０は、光ディスク１００の信号記録層において出射光ビームＬ１１が反射された反射光ビームＬ１２を対物レンズ２５へ入射させて発散光から平行光に変換し、立ち上げミラー２４により光集積素子２１が設けられた下方向へ寝かせ、１／４波長板２３により円偏光から直線偏光に変換しコリメータレンズ２２により収束光に変換した後、当該光集積素子２１へ入射させる。
【００３２】
（１−２−１）光集積素子における出射光ビームの光路
実際上、光集積素子２１は、図３（Ａ）に示すように、ベース部３０を中心に構成されており、当該ベース部３０の下面側に、レーザダイオード３１が取り付けられるようになされている。
【００３３】
ベース部３０の上側には、フォトディテクタ３２が取り付けられると共に、スペーサ３３が取り付けられ、その上側にそれぞれ薄板状に構成された板状部材３４Ａ〜３４Ｄが積層されてなる偏光フィルタ部３４が取り付けられ、さらにその上側に偏光プリズム３５が取り付けられている。
【００３４】
図３（Ｂ）に示すように、偏光フィルタ部３４の板状部材３４Ａ〜３４Ｄには、各種ホログラムや波長板等が形成されている。偏光フィルタ部３４には、各種ホログラムや波長板等が組み合わされることにより、１／２波長板３９、特許文献２に記載された手法により出射光ビームＬ１１の強度を減衰させる機能および強度分布を補正する機能を備えるアッテネータ部４０、及び反射光ビームＬ１２を通過する際の分割導光パターンを切り換える分割導光パターン切換部４１が構成されている。
【特許文献２】特開２００２−２６０２７２公報
【００３５】
光集積素子２１は、システムコントローラ１１（図１）の制御に基づき、レーザダイオード３１から出射光ビームＬ１１を上方へ出射させ、ベース部３０を上下に貫通するように設けられた貫通穴及びスペーサ３３の内部に設けられた空洞部を通過させて、当該出射光ビームＬ１１を偏光フィルタ部３４へ入射させる。
【００３６】
このとき偏光フィルタ部３４の板状部材３４Ａは、出射光ビームＬ１１をそのまま通過させ、板状部材３４Ｂに設けられた１／２波長板３９により出射光ビームＬ１１の偏光面を所定の角度だけ回転させて偏光方向を紙面左右方向とし、板状部材３４Ｂと板状部材３４Ｃとの間に設けられたアクティブ波長板４２へ入射させる。
【００３７】
アクティブ波長板４２は、液晶素子でなり、システムコントローラ１１（図１）の制御に基づいて出射光ビームＬ１１の中心から所定半径部分の領域における偏光面を所望の角度だけ回転させ、板状部材３４Ｄの偏光ホログラム４３へ入射させる。偏光ホログラム４３は、出射光ビームＬ１１における特定の方位の偏光成分でなる光ビームを回折させて偏光プリズム３５へ入射させるようになされている。
【００３８】
ここで光集積素子２１は、光ディスク１００への信号の記録時に、アクティブ波長板４２を通過する出射光ビームＬ１１の中心から所定半径部分の領域の偏光面の相対的な回転を略０度（紙面左右方向に平行な方向）に調整する。このため光集積素子２１は、偏光ホログラム４３による回折を発生させず、偏光プリズム３５の偏光面３５Ａにおいて出射光ビームＬ１１の光量のほぼ全てを透過させ、当該光集積素子２１の上方に配置されたコリメータレンズ２２（図１）の方向へ出射することになる。これにより光集積素子２１は、光ディスク１００への信号の記録時に、レーザパワーを効率良く使用することができる。
【００３９】
また光集積素子２１は、光ディスク１００に記録された信号の読取時に、アクティブ波長板４２を通過する出射光ビームＬ１１の中心から所定半径部分の領域の偏光面に相対的な角度を与えるように調整する。このため光集積素子２１は、出射光ビームＬ１１のうち強度が強い中心部分のみを選択的に偏光ホログラム４３により回折させ、回折された光ビームを偏光プリズム３５の偏光面３５Ａにおいて反射させ、図の左方向に配置されたアッテネータ部動作確認用フォトディテクタ３６に入射させる。さらに光集積素子２１は、出射光ビームＬ１１の中心部における強度を減衰させた状態で偏光プリズム３５の偏光面３５Ａを透過させ、当該光集積素子２１の上方に配置されたコリメータレンズ２２（図２）の方向に出射させる。
【００４０】
これにより光集積素子２１は、光ディスク１００に記録された信号の読取時に、当該光ディスク１００の記録面上で同一の読取パワーを発生させた場合におけるレーザダイオード３１の出射パワーを上昇させ、レーザノイズを相対的に低減させることができると共に、出射光ビームＬ１１の強度分布をより均一化して光ディスク１００の記録面上における光スポットの集光性能を改善させることができる。
【００４１】
さらに、システムコントローラ１１（図１）は、アッテネータ部動作確認用フォトディテクタ３６に入射する光量を検出することにより、アクティブ波長板４２の動作状態を監視している。これによりシステムコントローラ１１は、アッテネータ部４０により出射光量が減衰されている状態で光ディスク１００に対して記録パワーの出射光ビームＬ１１を照射させるといった、レーザダイオード３１の出射光量の定格を超える動作が起きることを抑制し得るようになされている。
【００４２】
（１−２−２）光集積素子における反射光ビームの光路
一方、光集積素子２１（図３（Ａ））は、偏光プリズム３５の上方から入射される反射光ビームＬ１２を偏光面３５Ａ及び反射面３５Ｂにおいてそれぞれ反射させることにより、当該反射光ビームＬ１２を板状部材３４Ｄに設けられたフォーカスサーボ用ホログラム４４へ入射させる。
【００４３】
板状部材３４Ｄ（図３（Ｂ））の下面側には、偏光ホログラム４３に加えてフォーカスサーボ用ホログラム４４が形成されている。このフォーカスサーボ用ホログラム４４は、反射光ビームＬ１２を０次光でなる反射光ビームＬ１３、負のパワーが付与された＋１次光でなる反射光ビームＬ１４及び正のパワーが付与された−１次光でなる反射光ビームＬ１５に分離させると共に、板状部材３４Ｃへ入射させる。
【００４４】
板状部材３４Ｂと板状部材３４Ｃとの間には、アクティブ波長板４２に加えて液晶素子でなるアクティブ波長板４５が形成されている。アクティブ波長板４５は、システムコントローラ１１（図１）の制御に基づいて液晶セルへの印加電圧を変化させることにより、反射光ビームＬ１３〜Ｌ１５の偏光面を任意に回転させ、これを板状部材３４Ｂへ入射させるようになされている。
【００４５】
すなわちアクティブ波長板４５は、液晶セルへの印加電圧に応じて、例えば図の左右方向に偏光された反射光ビームＬ１３〜Ｌ１５を透過させるか、或いは図の前後方向（すなわち図の手前側又は奥側の方向）に偏光された反射光ビームＬ１３〜Ｌ１５を透過させるかを切り換えるようになされている。
【００４６】
板状部材３４Ｂの下面側及び板状部材３４Ａの上面側には、偏光ホログラムでなる分割導光部４６及び４７が形成されている。
【００４７】
分割導光部４６は、図４（Ａ）に示すように、４つの導光領域４６Ａ〜４６Ｄに分割されており、反射光ビームＬ１３（図３（Ｂ））が当該分割導光部４６を透過する際の透過断面Ｒ１１を４つの透過断面Ｒ１１Ａ〜Ｒ１１Ｄに分割するようになされている。
【００４８】
実際上、分割導光部４６には、図５（Ａ）に示すように、４つの導光領域４６Ａ〜４６ＤにそれぞれブレーズドＨＯＥ（Holographic Optical Element）でなる偏光ホログラムが形成されており、反射光ビームＬ１３（図３（Ｂ））を分割した分割光ビームＬ１６Ａ〜Ｌ１６Ｄをそれぞれ左方向又は右方向へ回折させるようになされている。因みに分割導光部４６は板状部材３４Ｂの下面に形成されているが、説明の都合上、図５（Ａ）では当該分割導光部４６を上側から見た様子を表している。
【００４９】
ここで図５（Ｂ）及び（Ｃ）に断面を示すように、導光領域４６Ａ及び４６Ｄは、それぞれ反射光ビームＬ１３のうち透過断面Ｒ１１Ａ及びＲ１１Ｄ（図５（Ａ））に相当する部分をそれぞれ左方向又は右方向へ比較的小さく回折させることにより、それぞれ左方向又は右方向へ比較的中央寄りに進行する分割光ビームＬ１６Ａ及びＬ１６Ｄを生成する。
【００５０】
また導光領域４６Ｂ及び４６Ｃは、それぞれ反射光ビームＬ１３のうち透過断面Ｒ１１Ｂ及びＲ１１Ｃ（図５（Ａ））に相当する部分をそれぞれ左方向及び右方向へ比較的大きく回折させることにより、左方向及び右方向の比較的外側へ進行する分割光ビームＬ１６Ｂ及びＬ１６Ｃを生成する。
【００５１】
一方、分割導光部４７は、図４（Ｂ）に示すように、７つの導光領域４７Ａ〜４７Ｇに分割されており、反射光ビームＬ１３（図３（Ｂ））が当該分割導光板４７を透過する際の透過断面Ｒ１２を７つの透過断面Ｒ１２Ａ〜Ｒ１２Ｇに分割するようになされている。
【００５２】
実際上、分割導光部４７の上面には、図６（Ａ）に示すように、導光領域４７Ｇを除く６つの導光領域４７Ａ〜４７ＦにそれぞれブレーズドＨＯＥでなる偏光ホログラムが形成されており、反射光ビームＬ１３（図３（Ｂ））を分割した分割光ビームＬ１７Ａ〜Ｌ１７Ｆをそれぞれ図中左方向又は右方向へ回折させ、また導光領域４７Ｇを透過した分割光ビームＬ１７Ｇを中央方向へ進行させるようになされている。
【００５３】
ここで図６（Ｂ）及び（Ｃ）に断面を示すように、導光領域４７Ａ、４７Ｅ、４７Ｂ及び４７Ｆは、それぞれ反射光ビームＬ１３のうち透過断面Ｒ１２Ａ、Ｒ１２Ｅ、Ｒ１２Ｂ及びＲ１２Ｆ（図４（Ｂ））に相当する部分をそれぞれ左方向又は右方向へ比較的小さく回折させることにより、それぞれ左方向又は右方向へ比較的中央寄りに進行する分割光ビームＬ１７Ａ、Ｌ１７Ｅ、Ｌ１７Ｂ及びＬ１７Ｆを生成する。
【００５４】
また導光領域４７Ｃ及び４７Ｄは、それぞれ反射光ビームＬ１３のうち透過断面Ｒ１２Ｃ及びＲ１２Ｄ（図４（Ｂ））に相当する部分をそれぞれ左方向又は右方向へ比較的大きく回折させることにより、左方向又は右方向の比較的外側へ進行する分割光ビームＬ１７Ｃ及びＬ１７Ｄを生成する。なお導光領域４７Ｃ及び４７Ｄが反射光ビームＬ１３を回折させる方向について詳細は後述するが、便宜上、左方向又は右方向へ回折させるものと仮定して以下、説明する。
【００５５】
ところで分割導光部４６及び分割導光部４７は、それぞれ複屈折性を有する材料で構成されると共に、複屈折における反射光ビームＬ１３〜Ｌ１５の各偏光方向に対する屈折率が互いに異なるように、換言すれば複屈折における進相軸及び遅相軸の方向が互いに異なるように構成されている。
【００５６】
このため、例えば図３（Ｂ）の左右方向に偏光された反射光ビームＬ１３が入射された場合、板状部材３４Ｂに形成された分割導光部４６は当該反射光ビームＬ１３に対して回折作用するものの、板状部材３４Ａに形成された分割導光部４７は当該反射光ビームＬ１３に対して回折作用せず、分割光ビームＬ１６Ａ〜Ｌ１６Ｄをそのまま透過させる。
【００５７】
一方、例えば図３（Ｂ）の前後方向（すなわち紙面手前側又は奥側の方向）に偏光された反射光ビームＬ１３が入射された場合、これと反対に、板状部材３４Ｂに形成された分割導光部４６は当該反射光ビームＬ１３に対して回折作用せずにそのまま透過させ、板状部材３４Ａに形成された分割導光部４７は当該反射光ビームＬ１３に対して回折作用することにより分割光ビームＬ１７Ａ〜Ｌ１７Ｇに分割する。
【００５８】
このため光ピックアップ２０の分割導光パターン切換部４１（図３（Ｂ））は、アクティブ波長板４５の液晶セルに印加する電圧を変更して反射光ビームＬ１３の偏光方向を切り換えることにより、当該反射光ビームＬ１３に対して分割導光部４６により回折させるか、或いは分割導光部４７により回折させるかを切り換えることができる。
【００５９】
すなわち光ピックアップ２０の分割導光パターン切換部４１は、システムコントローラ１１の制御に基づいてアクティブ波長板４５の液晶セルへの印加電圧を変更することにより、反射光ビームＬ１３を分割光ビームＬ１６Ａ〜Ｌ１６Ｄに分割するか、或いは分割光ビームＬ１７Ａ〜Ｌ１７Ｇに分割するかといった、反射光ビームＬ１３の分割パターンを切り換えることができる。
【００６０】
また、光ピックアップ２０の分割導光パターン切換部４１は、例えば分割導光部４６又は４７をメカニカルに切り換える場合と比較して、切換動作用の空間を設ける必要がないため、極めて小型に構成することができる。
【００６１】
（１−２−３）フォトディテクタの構成
フォトディテクタ３２は、図７に示すように、分割光ビームＬ１６Ａ〜Ｌ１６Ｄ又はＬ１７Ａ〜Ｌ１７Ｇが照射される上面に、それぞれ矩形状でなる検出領域３２Ａ〜３２Ｍが設けられている。
【００６２】
検出領域３２Ｅは、仮に分割導光部４６又は４７が存在しなかった場合に当該フォトディテクタ３２に到達する反射光ビームＬ１３の光軸の位置と重なる中心点Ｕ２にその中心が重なるように配置されている。検出領域３２Ａ及び検出領域３２Ｂは、検出領域３２Ｅの水平方向、左側近傍位置及び右側近傍位置にそれぞれ配置され、検出領域３２Ｃ及び検出領域３２Ｄは、それぞれ当該検出領域３２Ａの水平方向、左隣及び検出領域３２Ｂの右隣に配置されている。
【００６３】
検出領域３２Ｆ及び検出領域３２Ｇは、層間迷光（詳しくは後述する）を検出するために設けられており、検出領域３２Ｃの左外方及び検出領域３２Ｄの右外方にそれぞれ配置されている。
【００６４】
検出領域３２Ｈ〜３２Ｍは、ＳＳＤ（Spot Size Detection）法に従ってフォーカスエラー信号ＳＦＥを生成するために設けられている。検出領域３２Ｈ、３２Ｉ及び３２Ｊは、矩形状の領域が前後方向に３分割されてなると共に検出領域３２Ｆの水平方向、左外方に検出領域３２Ｉが配置され、また検出領域３２Ｋ、３２Ｌ及び３２Ｍは、矩形状の領域が前後方向に３分割されてなると共に検出領域３２Ｇの水平方向、右外方に検出領域３２Ｌが配置されている。
【００６５】
因みにＳＳＤ法では、＋１次光と−１次光とにおける倍率の違いにより、フォトディテクタ３２の検出領域３２Ｈ、３２Ｉ及び３２Ｊの前後方向における幅と、フォトディテクタ３２の検出領域３２Ｋ、３２Ｌ及び３２Ｍの前後方向における幅とが同等である場合、生成されるフォーカスエラー信号ＳＦＥが非対称となってしまう（特許文献３参照）。そこでフォトディテクタ３２は、検出領域３２Ｈ、３２Ｉ及び３２Ｊの前後方向における幅が、検出領域３２Ｋ、３２Ｌ及び３２Ｍの前後方向における幅よりも広くなるようになされることにより、フォーカスエラー信号ＳＦＥが生成された際の対称性を向上させることができる。
【００６６】
フォトディテクタ３２は、各検出領域３２Ａ〜３２Ｍにそれぞれ形成されたビームスポットの光量に応じて光電変換処理を行うことによりそれぞれ電気信号を生成し、それぞれをアンプ（図示せず）によって増幅することにより１３種類の検出信号を生成するようになされている。
【００６７】
（１−３）反射光ビームの検出
光ディスク装置１は、ＢＤ−ＲＯＭに対してはＤＰＤ法によるトラッキング制御を行う一方、ＢＤ−ＲＥに対しては１スポットＰＰ法によるトラッキング制御を行う。このため分割導光部４６又は４７を切り替えることにより、光ディスク装置１に装填された光ディスク１００の種類に応じて、トラッキング制御を切り替えるようになされている。  
【００６８】
（１−３−２）ＢＤ−ＲＥに対する信号の生成
（１−３−２−１）再生ＲＦ信号の生成及び1ビームＰＰ法によるトラッキングエラー信号の生成
光ディスク装置１の光ピックアップ２０（図１）は、光ディスク１００がＢＤ−ＲＥディスクであった場合、図８（Ｂ）に示すように、アクティブ波長板４５の液晶セルへの印加電圧を変更することにより、偏光方向が前後方向となった反射光ビームＬ１３〜Ｌ１５を透過させる。
【００６９】
このとき光ピックアップ２０は、分割導光部４７により反射光ビームＬ１３を分割光ビームＬ１７Ａ〜Ｌ１７Ｇに分割し、これらをフォトディテクタ２２の検出領域３２Ａ〜３２Ｅへ照射させる。
【００７０】
この結果、フォトディテクタ３２の検出領域３２Ａ〜３２Ｅには、図９（Ｂ）に示すように、透過断面Ｒ１２Ａ〜Ｒ１２Ｇ（図４（Ｂ））とそれぞれほぼ相似形でなるビームスポットＰ１２Ａ〜Ｐ１２Ｇが形成される。
【００７１】
この場合、分割導光部４７の導光領域４７Ａ及び４７Ｅ（図６（Ａ））により分割光ビームＬ１７Ａ及びＬ１７Ｅが同一の方向へ回折されるため、フォトディテクタ３２の検出領域３２Ａには、分割光ビームＬ１７ＡによるビームスポットＰ１２Ａ及び分割光ビームＬ１７ＥによるビームスポットＰ１２Ｅが形成される。同様に、導光領域４７Ｂ及び４７Ｆ（図６（Ａ））により分割光ビームＬ１７Ｂ及びＬ１７Ｆが同一の方向へ回折されるため、フォトディテクタ３２の検出領域３２Ｂには、分割光ビームＬ１７ＢによるビームスポットＰ１２Ｂ及び分割光ビームＬ１７ＦによるビームスポットＰ１２Ｆが形成される。
【００７２】
また、フォトディテクタ３２の検出領域３２Ｃ、３２Ｄ及び３２Ｅには、分割光ビームＬ１７Ｃ、Ｌ１７Ｄ及びＬ１７ＧによるビームスポットＰ１２Ｃ、Ｐ１２Ｄ及びＰ１２Ｇがそれぞれ形成される。
【００７３】
これによりフォトディテクタ３２の検出領域３２Ａ〜３２Ｄは、それぞれビームスポットＰ１２Ａ＋Ｐ１２Ｅ、Ｐ１２Ｂ＋Ｐ１２Ｆ、Ｐ１２Ｃ及びＰ１２Ｄの各光量に応じた４種類の検出信号Ｓ１２Ａ〜Ｓ１２Ｄを生成する。
【００７４】
これに応じて光ディスク装置１（図１）は、検出信号Ｓ１２Ａ〜Ｓ１２Ｄを基に（１）式に従いトラッキングエラー信号ＳＴＥを生成し、ＢＤ−ＲＥディスクである光ディスク１００（図１）に対応した１ビームＰＰ法によるトラッキング制御を行う。
【００７５】
【数１】
2008282454.tif 000003
【００７６】
さらに光ディスク装置１は、検出信号Ｓ１２Ｃ及びＳ１２Ｄを基に（２）式に従いトラックのグルーブ構造におけるウォブルの検出状態を表すウォッブル信号ＷＢを生成し、ＢＤ−ＲＥディスクである光ディスク１００（図１）に対応したアドレス情報読み出しを行う。
【００７７】
【数２】
2008282454.tif 000004
【００７８】
さらに光ディスク装置１（図１）は、検出信号Ｓ１２Ａ〜Ｓ１２Ｅを用いた（３）式に従い再生ＲＦ信号ＳＲＦを生成するようになされている。
【００７９】
【数３】
2008282454.tif 000005
【００８０】
（１−３−１−２）ＳＳＤ法によるフォーカスエラー信号の生成
まず、ＳＳＤ法の原理について、図１０及び１１を用いて簡単に説明する。なお、図１０及び図１１は、説明の便宜上、反射光ビームＬ１２を導光分割部４７に通過させない一般的なＳＳＤ法に用いられるフォトディテクタＸ３２について示している。
【００８１】
図９に示したように、フォーカスサーボ用ホログラム４４は、反射光ビームＬ１２を０次光ビームでなる反射光ビームＬ１３と、±1次光ビームでなる反射光ビームＬ１４及びＬ１５に分離する。
【００８２】
このときフォーカスサーボ用ホログラム４４は、弧状に形成された回折パターンにより±1次光である反射光ビームＬ１４及びＬ１５の回折角度を互いに相違させ、図１０（Ａ）に示すように、反射光ビームＬ１４及びＬ１５の焦点距離を互いに相違させることにより、フォトディテクタＸ３２の手前又は奥でそれぞれ焦点を結ばせた状態で、図１０（Ｂ）に示すように、当該反射光ビームＬ１４及びＬ１５をフォトディテクタＸ３２に受光させる。
【００８３】
フォーカスサーボホログラム４４は、光ディスク１００の信号記録層に対する出射光ビームＬ１１の焦点のずれ量に応じて、反射光ビームＬ１３〜１５の焦点距離をフォトディテクタ３２の手前又は奥（図２における上下方向）に移動させることになる。
【００８４】
例えば焦点距離がフォトディテクタＸ３２よりも奥に移動すると、反射光ビームＬ１４の焦点はフォトディテクタＸ３２から遠ざかるため、図１１（Ａ）に示すように、フォトディテクタＸ３２Ｈ〜Ｘ３２Ｊにおいて検出される反射光ビームＬ１４によるスポットＱのサイズが大きくなる一方、反射光ビームＬ１５の焦点はフォトディテクタＸ３２に近づくため、フォトディテクタＸ３２Ｋ〜Ｘ３２Ｍにおいて検出される反射光ビームＬ１５によるスポットＱのサイズは小さくなる。
【００８５】
また焦点距離がフォトディテクタＸ３２の手前に移動すると、反射光ビームＬ１４の焦点はフォトディテクタＸ３２に近づくため、図１１（Ｂ）に示すように、フォトディテクタＸ３２Ｈ〜Ｊにおいて検出される反射光ビームＬ１４によるスポットＱのサイズ小さくなる一方、反射光ビームＬ１５の焦点はフォトディテクタＸ３２から遠ざかるため、フォトディテクタＸ３２Ｋ〜Ｍにおいて検出される反射光ビームＬ１５のスポットＱによるサイズは大きくなる。
【００８６】
従って、一般的なＳＳＤ法を用いる光ディスク装置Ｘ１は、当該検出領域Ｘ３２Ｈ〜Ｘ３２Ｊ及びＸ３２Ｋ〜Ｘ３２Ｍにおける検出信号Ｓ１２Ｈ〜Ｓ１２Ｊ及びＳ１２Ｋ〜Ｓ１２Ｍに基づいて、（４）式に従って出射光ビームＬ１１の光ディスク１００の信号記録層に対する焦点のずれ量を表すフォーカスエラー信号ＳＦＥを生成することができる。
【００８７】
【数４】
2008282454.tif 000006
【００８８】
本実施の形態における光ディスク装置１は、反射光ビームＬ１４及びＬ１５を分割導光部４７に通過させてからフォトディテクタ３２（図９（Ｂ））に受光させることになる。このためフォトディテクタ３２の検出領域３２Ｈ〜３２Ｊ及び３２Ｋ〜３２Ｍには、反射光ビームＬ１４及びＬ１５に基づくビームスポットＰ１２Ｈ及びＰ１２Ｋが形成されている。
【００８９】
このビームスポットＰ１２Ｈ及びＰ１２Ｋは、それぞれ複数に分割されているものの、実質的に上述したスポットＱと同等であり、光ディスク装置１では、一般的なＳＳＤ法と同様にしてフォーカスエラー信号ＳＦＥを生成することができる。従ってフォトディテクタ３２は、当該検出領域３２Ｈ〜３２Ｊ及び３２Ｋ〜３２Ｍにおける検出信号Ｓ１２Ｈ〜Ｓ１２Ｊ及びＳ１２Ｋ〜Ｓ１２Ｍを生成する。
【００９０】
これに応じて光ディスク装置１（図１）は、検出信号Ｓ１２Ｈ〜Ｓ１２Ｊ及びＳ１２Ｋ〜Ｓ１２Ｍと定数αとを用いて、（４）式に従いフォーカスエラー信号ＳＦＥを生成し、当該フォーカスエラー信号ＳＦＥを基にフォーカス制御を行うようになされている。
【００９１】
（１−３−２）ＢＤ−ＲＯＭに対する信号の生成
光ディスク装置１の光ピックアップ２０（図１）は、光ディスク１００がＢＤ−ＲＯＭディスクであった場合、図８（Ａ）に示すように、アクティブ波長板４５の液晶セルへの印加電圧を変更することにより、偏光方向が左右方向となった反射光ビームＬ１３〜Ｌ１５を透過させる。
【００９２】
このとき光ピックアップ２０は、分割導光部４６により反射光ビームＬ１３を分割光ビームＬ１６Ａ〜Ｌ６Ｄに分割し、それぞれフォトディテクタ３２の検出領域３２Ａ〜３２Ｄへそれぞれ照射させる。
【００９３】
この結果、フォトディテクタ３２の検出領域３２Ａ〜３２Ｄには、図９（Ａ）に示すように、透過断面Ｒ１１Ａ〜Ｒ１１Ｄ（図４（Ａ））とそれぞれほぼ相似形でなるビームスポットＰ１１Ａ〜Ｐ１１Ｄが形成され、当該ビームスポットＰ１１Ａ〜Ｐ１１Ｄの各光量に応じた検出信号Ｓ１１Ａ〜Ｓ１１Ｄを生成する。
【００９４】
これに応じて光ディスク装置１（図１）は、検出信号Ｓ１１Ａ〜Ｓ１１Ｄの位相差を用いてトラッキングエラー信号ＳＴＥ１１を算出し、当該トラッキングエラー信号ＳＴＥ１１を基に、ＢＤ−ＲＯＭディスクである光ディスク１００（図１）に対応したＤＰＤ法によるトラッキング制御を行うようになされている。
【００９５】
またフォトディテクタ３２の検出領域３２Ｈ〜３２Ｊ及び３２Ｋ〜３２Ｍには、反射光ビームＬ１４及びＬ１５に基づくビームスポットＰ１１Ｈ及びＰ１１Ｋが形成されており、当該検出領域３２Ｈ〜３２Ｊ及び３２Ｋ〜３２Ｍにおける検出信号Ｓ１１Ｈ〜Ｓ１１Ｊ及びＳ１１Ｋ〜Ｓ１１Ｍを生成する。
【００９６】
これに応じて光ディスク装置１（図１）は、検出信号Ｓ１１Ｈ〜Ｓ１１Ｊ及びＳ１１Ｋ〜Ｓ１１Ｍと所定の定数αとを用いた（５）式に従いフォーカスエラー信号ＳＦＥを生成し、当該フォーカスエラー信号ＳＦＥを基にフォーカス制御を行うようになされている。
【００９７】
【数５】
2008282454.tif 000007
【００９８】
さらに光ディスク装置１（図１）は、検出信号Ｓ１１Ａ〜Ｓ１１Ｄを用いた（６）式に従い再生ＲＦ信号ＳＲＦを生成するようになされている。
【００９９】
【数６】
2008282454.tif 000008
【０１００】
（１−４）層間迷光による影響の低減
ところで、光ディスク１００の中には、２層の信号記録層を有するものがある（以下、これを２層ディスクと呼ぶ）。光ディスク装置１は、この２層ディスクでなる光ディスク１００を再生する場合、目的とするデータが記録されている信号記録層（以下、これを対象記録層と呼ぶ）に対して出射光ビームＬ１１を合焦させることにより、当該対象記録層からデータを読み出すようになされている。
【０１０１】
このとき光ディスク装置１は、光ピックアップ２０の内部において、図１２に模式的に示すように、反射光ビームＬ１３を分割した分割光ビームＬ１６Ａ〜Ｌ１６Ｄ又はＬ１７Ａ〜Ｌ１７Ｇをフォトディテクタ３２の上面に照射させることになる。
【０１０２】
しかしながら光ディスク装置１では、出射光ビームＬ１１の一部が対象記録層と異なる信号記録層（以下、これを非対象記録層と呼ぶ）において反射された光ビーム、いわゆる層間迷光もフォトディテクタ３２に到達することになる。
【０１０３】
例えば光ディスク装置１では、対象記録層が光ディスク１００の奥側の信号記録層、すなわちＬ０層である場合、図１３に示すように、非対象記録層であるＬ１層による迷光ビームＬ２１が分割導光部４６及び４７に対して収束光として入射する。
【０１０４】
これに対して光ディスク装置１では、対象記録層が光ディスク１００のＬ１層である場合、図１２と対応する図１４に示すように、非対象記録層であるＬ０層による迷光ビームＬ２２が分割導光部４６及び４７に対して発散光として入射する。
【０１０５】
ここで光ピックアップ２０の分割導光部４７は、図６（Ａ）と対応する図１５に示すように、導光領域４７Ｃ及び４７Ｄの中心側における一部分がそれぞれ中心側へ突出し領域４７ＣＸ及び４７ＤＸ（図中に斜線で示す）を形成するように分割されている。
【０１０６】
因みに図１５には、反射光ビームＬ１３が分割導光部４７を透過する際の透過断面Ｒ１２に加えて、迷光ビームＬ２１（図１３）が分割導光部４７を透過する際の透過断面Ｒ２１及び迷光ビームＬ２２（図１４）が分割導光部４７を透過する際の透過断面Ｒ２２を示している。
【０１０７】
さらに分割導光部４７は、図９（Ｂ）に示したように、透過断面Ｒ１２（図４（Ｂ））のうち上下の部分である透過断面Ｒ１２Ａ、Ｒ１２Ｂ、Ｒ１２Ｅ及びＲ１２Ｆに対応するビームスポットＰ１２Ａ、Ｐ１２Ｂ、Ｐ１２Ｅ及びＰ１２Ｆを比較的中心点Ｕ２（図７）寄りの検出領域３２Ａ及び３２Ｂに照射させ、透過断面Ｒ１２のうち中段の透過断面Ｒ１２Ｃ及びＲ１２Ｄ対応するビームスポットＰ１２Ｃ及びＰ１２Ｄを比較的外側の検出領域３２Ｃ及び３２Ｄに照射させている。
【０１０８】
これにより光ピックアップ２０では、例えば対象記録層が光ディスク１００のＬ０層である場合、図１６（Ａ）及び（Ｂ）に示すように、Ｌ１層による層間迷光のうちフォトディテクタ３２の検出領域３２Ａ〜３２Ｄにかかって照射される部分は皆無となり、当該層間迷光がトラッキングエラー信号ＳＴＥに対して影響を及ぼさなくなる。
【０１０９】
また光ピックアップ２０では、例えば対象記録層が光ディスク１００のＬ１層である場合、図１７（Ａ）及び（Ｂ）に示すように、対象記録層が光ディスク１００のＬ０層である場合と同様、Ｌ０層による層間迷光のうちフォトディテクタ３２の検出領域３２Ａ〜３２Ｄにかかって照射される部分は皆無となり、当該層間迷光がトラッキングエラー信号ＳＴＥに対して影響を及ぼさなくなる。
【０１１０】
さらに光ピックアップ２０では、図１６（Ｂ）及び図１７（Ｂ）に示したように、フォトディテクタ３２において、Ｌ１層による層間迷光及びＬ０層による層間迷光のいずれもが検出領域３２Ｈ〜３２Ｊ及び３２Ｋ〜３２Ｍに照射されないように配置されている。
【０１１１】
このように光ピックアップ２０では、分割導光部４７の導光領域４７Ｃ及び４７Ｄの分割形状及びフォトディテクタ３２における検出領域３２Ａ〜３２Ｍの配置が工夫されていることにより、Ｌ０層による層間迷光又はＬ１層による層間迷光がトラッキングエラー信号ＳＴＥに影響を及ぼさないようになされている。
【０１１２】
ところで光ディスク１００の中には、３層以上の信号記録層を有するものがある（以下、これを多層ディスクと呼ぶ）。これに対して光ピックアップ２０では、分割導光部４７の導光領域４７Ｃ及び４７Ｄの分割形状及びフォトディテクタ３２における検出領域３２Ａ〜３２Ｍの配置が工夫されていることにより、多層ディスクでの対象記録層以外の信号記録層からの層間迷光を極力低減し得るようになされている。
【０１１３】
また光ピックアップ２０は、多層ディスクでの層間迷光がフォトディテクタ３２の検出領域３２Ａ〜３２Ｍに入射してしまう場合であっても、各分割光ビームＬ１７Ａ〜Ｌ１７Ｇの強度が層間迷光の強度に対して充分に強いため、ＤＰＰ法のように強度の弱い信号ビームを検出する領域にメインビームの層間迷光が入射する場合と比較して、層間迷光の影響を極めて小さく抑えることができる。
【０１１４】
さらに光ピックアップ２０では、分割導光部４７の導光領域４７Ｇを通過した分割光ビームＬ１７Ｇをトラッキングエラー信号検出の演算に用いないことにより、光ディスク１００における信号記録層の記録・未記録状態の違いによるトラッキングエラー信号ＳＴＥのオフセットを抑制することができる。
【０１１５】
そのうえ光ピックアップ２０では、トラックのグルーブ構造に含まれるウォッブル信号ＷＢについて、分割導光部４７の導光領域４７Ｃ及び４７Ｄにより分割された分割光ビームＬ１７Ｃ及びＬ１７Ｄのみを使用することにより、特許文献４に記載されているような隣接トラックの影響による当該ウォッブル信号ＷＢのビート成分を抑制することができ、当該ウォッブル信号ＷＢの精度を向上させてアドレス情報の読み出し性能を向上させることができる。
【特許文献３】特開２００４−２７３０２４公報
【０１１６】
（１−５）回折迷光による影響の低減
（１−５−１）回折迷光の発生
次に、分割導光部４７の導光領域４７Ａ〜４７Ｆ（図６）に形成されているブレーズドＨＯＥによって発生する回折迷光について説明する。
【０１１７】
図６（Ｃ）に対応する図１８（Ａ）に示すように、導光領域４７Ａ〜４７ＦにおけるブレーズドＨＯＥは、その断面が鋸歯形状である。このブレーズドＨＯＥは、出射面４７Ｚに対する斜面と垂直面とから形成される完全な鋸歯形状であることが好ましいが、製造上の制約などから、円で囲んだ部分を拡大して表す図１８（Ｂ）に示すように、実際には多段状に鋸歯形状が形成されている。なお図示しないが、導光領域４７Ａ〜４７Ｃ及び４７Ｅ〜４７Ｆについても同様にして多段状に鋸歯形状がブレーズドＨＯＥとして形成されている。
【０１１８】
このような多段状でなるブレーズドＨＯＥを有する導光領域４７Ａ〜４７Ｆは、図１９に示すように、反射光ビームＬ１３〜Ｌ１５の一部を２次以上の高次回折光ビームとして回折することになる。このとき導光領域４７Ａ〜４７Ｆは、高次回折光ビームの中でも他の高次回折光ビームと比較して強度が大きくなる例えば７次の高次回折光ビーム（以下、これを回折迷光と呼ぶ）ＵＭを、１次の回折光ビームよりも大きい回折角度で回折させることになる。
【０１１９】
このようなブレーズドＨＯＥでは、ブレーズドＨＯＥ（すなわち回折格子）の角度（以下、これを格子角度と呼ぶ）に応じて反射光ビームＬ１３〜Ｌ１５の回折方向が変化する。すなわちこのような回折格子では、当該回折格子に対して９０°の角度で反射光ビームＬ１３〜Ｌ１５を回折するため、例えば図８（Ｂ）においてフォトディテクタ３２の各検出領域３２Ａ〜３２Ｇが水平方向に配置されている場合には、一般的に当該水平方向に対して垂直（すなわち鉛直方向に平行）になるように格子角度が選定される。
【０１２０】
上述したように、導光領域４７Ａ〜４７Ｆは、通過する反射光ビームＬ１３〜Ｌ１５を左方向又は右方向へそれぞれ回折する。このとき、フォーカスサーボ用ホログラム４４によって回折されてなる反射光ビームＬ１４及びＬ１５は、フォトディテクタ３２において最も外側となる検出領域３２Ｈ〜３２Ｍに受光される。そして回折迷光ＵＭは、この検出領域３２Ｈ〜３２Ｍよりも遠方に回折されることになるため、他の検出領域３２Ａ〜３２Ｇに影響を及ぼすことはない。
【０１２１】
しかしながら、反射光ビームＬ１３は、フォーカスサーボ用ホログラム４４によって回折されておらず、フォトディテクタ３２の中心部分を占める検出領域３２Ａ〜３２Ｇに受光される。そして回折迷光ＵＭは、この検出領域３２Ａ〜３２Ｇより遠方に配置された検出領域３２Ｈ〜３２Ｍに受光されてしまう可能性がある。
【０１２２】
なお図２０に示すように、導光領域４７Ａ、４７Ｂ、４７Ｅ及び４７Ｆでは、導光領域４７Ｈ〜４７Ｍと比してその回折角度が小さくなるようにブレーズドＨＯＥの周期が設定されているため、当該導光領域４７Ａ、４７Ｂ、４７Ｅ及び４７Ｆを通過した反射光ビームＬ１３（分割光ビームＬ１７Ａ、Ｌ１７Ｂ、Ｌ１７Ｅ及びＬ１７Ｆ）による回折迷光ＵＭ（ＵＭａ、ＵＭｂ、ＵＭｅ及びＵＭｆ）は、その回折角度が比較的小さくなり、検出領域３２Ｈ〜３２Ｍに回折迷光ＵＭとして受光される可能性は小さい。
【０１２３】
従って、検出領域３２Ｈ〜３２Ｍに受光されるのは、実質上、導光領域４７Ｃ及び４７Ｄを通過した反射光ビームＬ１３（分割光ビームＬ１７Ｃ及びＬ１７Ｄ）による回折迷光ＵＭ（ＵＭｃ及びＵＭｄ）となる。
【０１２４】
（１−５−２）回折迷光の影響
上述したように、ＢＤ−ＲＥディスクに対する再生処理の際、光ディスク装置１は、（４）式に従ってフォーカスエラー信号ＳＦＥを生成する。
【０１２５】
従って仮に図２０のように、検出領域３２Ｉ及び３２Ｌに受光される回折迷光ＵＭｃ及びＵＭｄが同一形状であれば、当該回折迷光ＵＭｃ及びＵＭｄの光量が計算上ほぼ相殺されるため、フォーカスエラー信号ＳＦＥに対して殆ど影響を与えることはない。
【０１２６】
しかしながら、例えば図２１（Ａ）に示すように、対物レンズ２５（図２）がシフトしたことにより、出射光ビームＬ１１の光軸が分割導光部４７の中心からずれた場合、図２１（Ｂ）に示すように、回折迷光ＵＭｃとＵＭｄとの光量に差が生じ、この光量差だけフォーカスエラー信号ＳＦＥに誤差を生じさせることになる。
【０１２７】
また、図２１に示すように、ビームスポットＰ１２Ｃ及びＰ１２Ｄ（図９）に生じるべき光の強弱である、いわゆるプッシュプル成分Ｃｐｐが、回折迷光ＵＭｃ及びＵＭｄにも同様に生じることになるため、このプッシュプル成分Ｃｐｐの分だけ回折迷光ＵＭｃとＵＭｄとの光量に差が生じ、この光量差だけフォーカスエラー信号ＳＦＥに誤差を生じさせることになる。
【０１２８】
ところで、図９に示したように、検出領域３２Ａ〜３２Ｄはそれぞれ同一の大きさでなり、反射光ビームＬ１３の両端部分であるビームスポットＰ１２Ａ、Ｐ１２Ｂ、Ｐ１２Ｅ及びＰ１２Ｆを受光する検出領域３２Ａ及び３２Ｂに合わせてその鉛直方向のサイズが設定されている。
【０１２９】
このため反射光ビームＬ１３の中心部分であるビームスポットＰ１２Ｃ及びＰ１２Ｄを受光する検出領域３２Ｃ及び３２Ｄは、その鉛直方向に余裕がある。
【０１３０】
そこで本実施の形態における分割導光部４７では、ビームスポットＰ１２Ｃ及びＰ１２Ｄと回折迷光ＵＭｃ及びＵＭｄにおける回折角度の差異を利用し、回折格子の格子角度を鉛直方向から僅かに傾斜させることにより、回折角度の小さいビームスポットＰ１２Ｃ及びＰ１２Ｄを鉛直方向に僅かに振って当該ビームスポットＰ１２Ｃ及びＰ１２Ｄを鉛直方向に少しだけずらして照射し、これに伴って回折角度の大きい回折迷光ＵＭを検出領域３２Ｉ及び３２Ｌに照射しないように鉛直方向に大きくずらして照射するようにして、当該回折迷光ＵＭがフォーカスエラー信号ＳＦＥに与える影響を低減するようにしている。
【０１３１】
（１−５−３）導光領域４７Ｃ及び４７Ｄ
図２２に示すように、分割導光部４７における導光領域４７Ｃ及び４７Ｄは、水平方向に対して垂直な鉛直方向の回折格子を有する導光領域４７Ａ、４７Ｂ、４７Ｅ及び４７Ｆと比較して、回折格子が左方向に僅かに（例えば５°）傾斜している。
【０１３２】
従って導光領域４７Ｃは、反射光ビームＬ１３を右方向に僅かに鉛直方向（紙面上向き）に傾けて回折させる。また導光領域４７Ｄは、反射光ビームＬ１３を左方向に僅かに鉛直方向（紙面下向き）に傾けて回折させる。
【０１３３】
この結果図２３に示すように、導光領域４７Ｃは、ビームスポットＰ１２Ｃを検出領域３２Ｃの中心よりやや鉛直方向（紙面上向き）にずらして受光させると共に、回折迷光ＵＭを中心の検出領域３２Ｉでなく、端の検出領域３２Ｊで受光させる。また導光領域４７Ｄは、ビームスポットＰ１２Ｄを検出領域３２Ｃの中心よりやや鉛直方向（紙面下向き）にずらして受光させ、回折迷光ＵＭを中心の検出領域３２Ｌではなく、端の検出領域３２Ｋで受光させる。
【０１３４】
ここで上述したように、フォーカスエラー信号ＳＦＥは（４）式によって算出される。この（４）式における係数αは、１．０未満の数字（例えば約０．３）が用いられるため、回折迷光ＵＭを端の検出領域３２Ｋ及び３２Ｊで受光させることにより、中心の検出領域３２Ｌ及び３２Ｉで受光させる場合と比較して、フォーカスエラー信号ＳＦＥにおける回折迷光ＵＭの影響をα倍に低下させ得るようになされている。
【０１３５】
なお、分割導光部４７では、導光領域４７Ｃ及び４７Ｄの回折格子の格子角度を同一にし、当該導光領域４７Ｃ及び４７Ｄを通過するビームスポットＰ１２Ｃ及びＰ１２Ｄを互いに反対方向に回折させる。これにより図２４に示すように、ビームスポットＰ１２Ｈｃ及びＰ１２Ｈｄ、並びにビームスポットＰ１２Ｋｃ及びＰ１２Ｋｄを同様にして反対方向に回折させることができ、これらのビームスポットＰ１２が中心からのずれた分の光量を（４）式において互いに相殺させることができる。
【０１３６】
このように光ディスク装置１は、反射光ビームＬ１３を導光領域４７Ｃ及び４７Ｄによって回折させる際、当該導光領域４７Ｃ及び４７Ｄの格子角度を水平方向に対して垂直な鉛直方向から僅かに傾斜するように選定しているため、回折角度の小さい分割光ビームＬ１７Ｃ及びＬ１７Ｄの照射位置を大きく変化させることがないため当該分割光ビームＬ１７Ｃ及びＬ１７Ｄを検出領域３２Ｃ及び３２Ｄに受光し得る一方、回折角度が大きくなる回折迷光の照射位置を比較的大きく変化させることができ、当該回折迷光ＵＭを検出領域３２Ｉ及び３２Ｌに受光させないで済み、かくして回折迷光の影響を低減し得るようになされている。
【０１３７】
（１−６）動作及び効果
以上の構成において、光ディスク装置１は、光ビームである出射光ビームＬ１１が光ディスク１００で反射されてなる反射光ビームＬ１３を多段状に鋸歯形状の回折格子が形成されてなるブレーズドＨＯＥとしての分割導光部４７によって回折して回折光ビームとし、回折光ビームのうち、第１の受光部としての検出領域３２Ｃ及び３２Ｄによって１次光ビームである分割光ビームＬ１７Ｃ及びＬ１７Ｄを受光し、反射光ビームＬ１２の光軸の延長線を中心としたとき、検出領域３２Ｃ及び３２Ｄよりも遠方に設けられ、反射光ビームＬ１２の一部である反射光ビームＬ１４及びＬ１５を第２の受光部としての検出領域３２Ｉ及び３２Ｌによって受光する。このとき分割導光部４７は、分割光ビームＬ１７Ｃ及びＬ１７Ｄを検出領域３２Ｃ及び３２Ｄに受光させつつ、強度の大きい高次の回折光ビームである回折迷光ＵＭを第２の受光部である検出領域３２Ｉ及び３２Ｌに受光させないように導光領域４７Ｃ及び４７Ｄに設けられた回折格子の格子角度が設定されるようにした。
【０１３８】
これにより光ディスク装置１は、意図しない回折迷光ＵＭを検出領域３２Ｉ及び３２Ｌによって受光することを回避できるため、当該検出領域３２Ｉ及び３２Ｌの受光量に対する回折迷光ＵＭの影響を抑制することができる。
【０１３９】
分割導光部４７は、反射光ビームＬ１２を、光ディスク１００の信号記録層の所望トラックに対する出射光ビームＬ１１のずれに応じた光量の変化を検出するための２つのずれ分割光ビームである分割光ビームＬ１７Ｃ及びＬ１７Ｄと、出射光ビームＬ１１の光軸に対する対物レンズ２５の移動量を検出するための複数のオフセット分割光ビームである分割光ビームＬ１７Ａ、Ｌ１７Ｂ、Ｌ１７Ｅ及びＬ１７Ｆとに分割する複数の分割領域である導光領域４７Ｃ、４７Ｄ、４７Ａ、４７Ｂ、４７Ｅ及び４７Ｆを有している。光ディスク装置１は、分割光ビームＬ１７Ａ〜Ｌ１７Ｆを対応する受光領域である検出領域３２Ａ〜３２Ｆによってそれぞれ受光してトラッキングエラー信号ＳＴＥを生成するための検出信号Ｓ１１Ａ〜Ｓ１１Ｆをそれぞれ生成する。
【０１４０】
このとき光ディスク装置１は、分割導光部４７における分割光ビームＬ１７Ｃ及びＬ１７Ｄが通過する導光領域４７Ｃ及び４７Ｄに対する回折格子の格子角度の設定により、当該分割光ビームＬ１７Ｃ及びＬ１７Ｄを検出領域３２Ｃ及び３２Ｄに受光させつつ、強度の大きい高次の回折光ビームである回折迷光ＵＭを第２の受光部である検出領域３２Ｉ及び３２Ｌに受光させないようにした。
【０１４１】
これにより光ディスク装置１は、意図しない回折迷光ＵＭを検出領域３２Ｉ及び３２Ｌによって受光することを回避できるため、回折迷光ＵＭに直線成分ではなく変動成分として表れるために計算上相殺することのできないオフセット成分及びプッシュプル成分が検出領域３２Ｉ及び３２Ｌの受光量に与える影響を抑制することができる。
【０１４２】
さらに光ディスク装置１は、反射光ビームＬ１２を、０次光でなるメイン反射光ビームである反射光ビームＬ１３と、回折角度を互いに相違させることによりその焦点距離を互いに相違させた状態で、±１次光でなる２つのサブ反射光ビームである反射光ビームＬ１４及びＬ１５とに分離する光分離部としてのフォーカスサーボ用ホログラム４４と、反射光ビームＬ１４及びＬ１５のうち、帯状の中心部分を除く両端部分を対応する受光領域である検出領域３２Ｈ、３２Ｊ及び３２Ｋ、３２Ｍによってそれぞれ受光して対物レンズ２５の信号記録層に対する焦点のずれ量を表すフォーカスエラー信号ＳＦＥを生成するための検出信号Ｓ１２Ｈ、Ｓ１２Ｊ、Ｓ１２Ｋ及びＳ１２Ｍをそれぞれ生成する。そして光ディスク装置１は、第１の受光部である検出領域３２Ａ〜３２Ｆによって反射光ビームＬ１３を受光し、第２の受光部である検出領域３２Ｉ及び３２Ｌによって反射光ビームＬ１４及びＬ１５の中心部分を受光するようにした。
【０１４３】
これにより光ディスク装置１は、意図しない回折迷光ＵＭを検出領域３２Ｉ及び３２Ｌによって受光することを回避できるため、回折迷光ＵＭに表れるオフセット成分及びプッシュプル成分がフォーカスエラー信号ＳＦＥに影響を与えることにより生じる誤差を抑制することができる。
【０１４４】
さらに光ディスク装置１は、導光領域４７Ｃ及び４７Ｄにおける回折格子の角度を同一に設定することにより、検出領域３２Ｉ〜３２Ｌ上におけるビームスポットＰ１２Ｈｃ及びＰ１２Ｈｄ、並びにビームスポットＰ１２Ｋｃ及びＰ１２Ｋｄを互いに反対方向にずらした状態で照射するため、フォーカスエラー信号ＳＦＥの計算上当該ずれによって生じる光量の変化を相殺することができ、一般的な（４）式によってフォーカスエラー信号ＳＦＥを算出することができる。
【０１４５】
また光ディスク装置１は、検出領域３２Ａ〜３２Ｄにおいて、分割光ビームＬ１７Ｃ及びＬ１７Ｄの一方の端部と一方のオフセット分割光ビームである分割光ビームＬ１７Ｅ及びＬ１７Ｂの端部とがほぼ一直線上に並ぶように回折格子の格子角度が設定されることにより、検出領域３２Ｃ及び３２Ｄのサイズを変更することなく、検出領域３２Ａ及び３２Ｂと同一サイズのものを使用することができ、フォトディテクタ３２の構成を簡易にすることができる。また光ディスク装置１は、検出領域３２Ｃ及び３２Ｄを不要に拡大することにより層間迷光の影響を受ける（図１６及び図１７）といった新たな問題を引き起こさずに済む。
【０１４６】
さらに光ディスク装置１は、導光領域４７Ｃ及び４７ＤにおけるブレーズドＨＯＥ（回折格子）の格子角度を変更するだけで回折迷光ＵＭを検出領域３２Ｉ及び３２Ｌに受光させないようにできるため、当該回折迷光ＵＭの影響を低減するために他の光学素子を設ける必要がなく、光ピックアップ２０の構成を複雑化せずに済む。
【０１４７】
以上の構成によれば、光ディスク装置１は、導光領域４７Ｃ及び４７Ｄに設けられた回折格子の格子角度をフォトディテクタ３２の検出領域３２Ａ〜３２Ｍが配置された水平方向に対する垂線から僅かに傾けることにより、導光領域４７Ｃ及び４７Ｄを通過する回折角度の小さい分割光ビームＬ１７Ｃ及びＬ１７Ｄの照射位置を大きくずらすことなく、当該水平方向に配置された検出領域３２Ｃ及び３２Ｄによって受光しつつ、回折角度の大きい高次の回折光ビームである回折迷光の照射位置を大きくずらして当該並行方向に配置された検出領域３２Ｉ及び３２Ｌからずらすことができ、かくして回折迷光の影響を抑制し得る光ピックアップ及び光ディスク装置を実現できる。
【０１４８】
（２）第２の実施の形態
（２−１）光ピックアップの構成
第２の実施の形態では、図２〜図２４との対応部分に同一符号を付した図２５に示すように、光集積素子２１（図２）に有していた各光学部品を独立した部品として構成している。また、ＢＤ−ＲＥディスク又はＢＤ−ＲＯＭディスクのいずれであるかに応じて、分光導光パターン切替部８４によって分光導光部８６及び８７を物理的に可動させて当該分光導光部８６及び８７を切り替えるようになされている。なお、光ディスク装置１としての構成は図１と同一であるため、便宜上、説明を省略する。
【０１４９】
この場合、光ピックアップ８０は、システムコントローラ３１（図１）の制御に基づき、レーザダイオード３１から出射光ビームＬ１１を出射させ、１／２波長板３９により出射光ビームＬ１１の偏光面を所定の角度だけ回転させて偏光プリズム３５へ入射させる。
【０１５０】
偏光プリズム３５の偏光膜３５Ａは、出射光ビームＬ１１における光量のほぼ全てを透過させ、コリメータレンズ２２の方向へ出射すると共に、当該出射光ビームＬ１１における光量の一部を反射させてレーザ光量モニタ用フォトディテクタ８１に入射させる。
【０１５１】
続いて光ピックアップ８０は、カップリングレンズ８２、コリメータレンズ２２、立ち上げミラー２４、１／４波長板２３を順次介して、出射光ビームＬ１１を対物レンズ２５により光ディスク１００（図１）における信号記録層上の所望トラックに合焦させる。
【０１５２】
因みにカップリングレンズ８２は、コリメータレンズ２２における焦点距離を引き延ばすことにより、光ビームにおける瞳端強度の低下を防止するようになされている。
【０１５３】
これと並行してシステムコントローラ３１（図１）は、レーザ光量モニタ用フォトディテクタ３２に入射する光量を検出してフィードバック制御することにより、レーザダイオード３１から出射させる出射光ビームＬ１１の出射強度を所望の強度に調整するようになされている。
【０１５４】
また光ピックアップ８０は、光ディスク１００（図８）の信号記録層において出射光ビームＬ１１が反射された反射光ビームＬ１２を、対物レンズ２５、１／４波長板２３、立ち上げミラー２４、コリメータレンズ２２及びカップリングレンズ８２を順次介して偏光プリズム３５へ入射させる。
【０１５５】
偏光プリズム３５は、反射光ビームＬ２２を偏光面５５Ａにおいて反射させ、フォーカスサーボ用ホログラム板８３へ入射させる。フォーカスサーボ用ホログラム板８３は、フォーカスサーボ用ホログラム４４（図３（Ｂ））と同様のホログラムが形成されており、反射光ビームＬ１２を０次光ビームＬ１３、＋１次光ビームＬ１４及び−１次光ビームＬ１５に分光させ、それぞれ分割導光パターン切換部８４へ入射させる。
【０１５６】
分割導光パターン切換部８４は、図３（Ｂ）における分割導光パターン切換部４１と同様の機能を有しているものの、その構造は分割導光パターン切換部４１とは異なっている。すなわち分割導光パターン切換部８４は、図２７に示すように、分割導光部８６が形成されたスライド板８５をアクチュエータ（図示せず）により前方向又は後方向へ移動させるようになされている。
【０１５７】
これにより分割導光パターン切換部８４は、分割導光部８６に対する反射光ビームＬ１３の照射箇所を切り換えることができ、この結果、反射光ビームＬ１３の分割パターンを切り換え（詳しくは後述する）、分割後の反射光ビームをフォトディテクタ３２へ照射させるようになされている。
【０１５８】
このように光ピックアップ８０は、分割導光パターン切換部８４においてスライド板１２５を機械的に移動させることにより、分割導光部８６に対する反射光ビームＬ１３の照射箇所を切り換え、当該反射光ビームＬ１３の分割パターンを切り換えるようになされている。
【０１５９】
図２６に示すように、分割導光部８６は、第1の実施の形態における分割導光部４６（図５）及び分割導光部４７（図６）と比較して、全体が長方形状に形成されると共に６分割されている点が大きく異なっている。
【０１６０】
分割導光部８６の導光領域８６Ａ及び８６Ｅ、８６Ｂ及び８６Ｆは、分割導光部４６の導光領域４６Ａ及び４６Ｄと同様のブレーズドＨＯＥでなるホログラムが形成されており、反射光ビームＬ１３の一部を左方向又は右方向へ比較的小さく回折させるようになされている。また分割導光部８６の導光領域８６Ｃ及び８６Ｄは、分割導光部４６の導光領域４７Ｃ及び４７Ｄと同様のブレーズドＨＯＥでなるホログラムが形成されており、反射光ビームＬ１３の一部を左方向又は右方向にそれぞれ僅かに鉛直方向に傾けて比較的大きく回折させるようになされている。
【０１６１】
（２−２）ＢＤ−ＲＥに対する再生制御信号の生成
光ピックアップ８０（図２５）は、光ディスク１００がＢＤ−ＲＥディスクであった場合、分割導光パターン切換部８４（図２６）によりスライド板８５を後方向に移動させ、図２８（Ａ）に示すように、導光領域８６Ｃ及び８６Ｄの境界線におけるほぼ中心となる位置に、反射光ビームＬ１３が分割導光板８６を透過する際の透過断面Ｒ２２の中心を重ねさせる。
【０１６２】
これにより分割導光板８６は、６つの導光領域８６Ａ〜８６Ｆによって、反射光ビームＬ１２を断面形状がそれぞれ透過断面Ｒ２２Ａ〜Ｒ２２Ｆでなる６本の光ビームに分割し、フォトディテクタ３２へそれぞれ照射させる。このフォトディテクタ３２（図示しない）は、図７に示したフォトディテクタ３２における検出領域３２Ｅを有していない以外は、同一構成でなる。
【０１６３】
この結果、図２８（Ｂ）に示すように、フォトディテクタ３２の検出領域３２Ａ〜３２Ｄは、図９（Ｂ）における検出領域３２Ａ〜３２Ｄと同様に、透過断面Ｒ２２Ａ〜Ｒ２２Ｆとほぼ相似形でなるビームスポットＰ２２Ａ〜Ｐ２２Ｆが形成され、ビームスポットＰ２２Ａ＋Ｐ２２Ｅ、Ｐ２２Ｂ＋Ｐ２２Ｆ、Ｐ２２Ｃ及びＰ２２Ｄの各光量に応じた４種類の検出信号Ｓ２２Ａ、Ｓ２２Ｂ、Ｓ２２Ｃ及びＳ２２Ｄを生成する。
【０１６４】
このとき光ディスク装置１（図１）のシステムコントローラ１１は、（７）式に従ってトラッキングエラー信号ＳＴＥを生成し、ＢＤ−ＲＥディスクである光ディスク１００（図１）に対応した１ビームＰＰ法によるトラッキング制御を行うようになされている。
【０１６５】
【数７】
2008282454.tif 000009
【０１６６】
また光ディスク装置１は、第１の実施の形態と同様にフォーカスエラー信号ＳＦＥ及び再生ＲＦ信号ＳＲＦを生成するようになされている。
【０１６７】
ここで本実施の形態における導光領域８６Ｃ及び８６Ｄでは、フォトディテクタ３２の検出領域３２Ａ〜３２Ｍが配置された水平方向に対する垂線（鉛直方向）を基準としたときに、第１の実施の形態の導光領域４７Ｃ及び４７Ｄと比較して、回折格子の格子角度が僅かに大きく（例えば７°）なるように設定されている。
【０１６８】
この結果光ディスク装置１は、図２８（Ｃ）に示すように、回折迷光ＵＭを検出領域３２Ｉ及び３２Ｌに受光することを回避し得、回折迷光ＵＭの影響を殆ど与えないで済むようになされている。また光ディスク装置1は、導光領域８６Ｃ及び８６Ｄ回折格子の格子角度をさらに大きく（例えば９°）に設定することにより、図２９に示すように、回折迷光ＵＭを検出領域３２Ｈ〜３２Ｍのいずれに受光することをも回避し得、検出領域３２Ａ〜３２Ｍのいずれに対しても回折迷光ＵＭの影響を殆ど与えないで済むようにできる。
【０１６９】
（２−３）ＢＤ−ＲＯＭに対する再生制御信号の生成
実際上、光ピックアップ８０（図２５）は、光ディスク１００がＢＤ−ＲＯＭディスクであった場合、分割導光パターン切換部８４（図２６）によりスライド板８５を前方向へ移動させることにより、導光領域８６Ｃ、８６Ｄ、８６Ｅ及び８６Ｆのほぼ中心となる位置に、反射光ビームＬ１３が分割導光板８６を透過する際の透過断面Ｒ２１の中心を重ねさせる。
【０１７０】
これにより分割導光板８６は、４つの導光領域８６Ｃ〜８６Ｆによって、反射光ビームＬ１２を断面形状がそれぞれ透過断面Ｒ２１Ａ〜Ｒ２１Ｄでなる４本の光ビームに分割し、フォトディテクタ３２へそれぞれ照射させる。
【０１７１】
この結果、フォトディテクタ３２の検出領域３２Ａ〜３２Ｄ（図示しない）には、図９（Ａ）における検出領域３２Ａ〜３２Ｄと同様に、透過断面Ｒ２１Ｅ、Ｒ２１Ｆ、Ｒ２１Ｃ及びＲ２１Ｄとほぼ相似形でなるビームスポットＰ２１Ａ、Ｐ２１Ｂ、Ｐ２１Ｃ及びＰ２１Ｄが形成され、当該ビームスポットＰ２１Ａ〜Ｐ２１Ｄの各光量に応じた検出信号Ｓ２１Ａ〜Ｓ２１Ｄを生成する。
【０１７２】
そして光ディスク装置１は、第１の実施の形態と同様にフォーカスエラー信号ＳＦＥ、トラッキングエラー信号ＳＴＥ及び再生ＲＦ信号ＳＲＦを生成するようになされている。
【０１７３】
（２−４）動作及び効果
以上の構成において、光ディスク装置１は、分光導光板８６を可動にしてＢＤ−ＲＥディスク又はＢＤ−ＲＯＭディスクに応じてＤＰＤ法に対応する導光領域を機械的に８６Ｃ、８６Ｄ、８６Ｅ及び８６Ｆ又は１ビームＰＰ法に対応する導光領域８６Ａ〜８６Ｆを切り替えるようにしたことにより、上述した第1の実施の形態と同様の効果を得ることができる。
【０１７４】
また光ディスク装置１は、回折迷光ＵＭをいずれの検出領域３２Ａ〜３２Ｍによっても受光しないように導光領域８６Ｃ及び８６Ｄに設けられた回折格子の格子角度を選定したことにより、フォーカスエラー信号ＳＦＥから回折迷光ＵＭの影響を殆ど完全に排除し得るようになされている。
【０１７５】
以上の構成によれば、光ディスク装置１は、フォトディテクタ３２の検出領域３２Ａ〜３２Ｍが並ぶ水平方向に対する垂線を基準としたとき、導光領域８６Ｃ及び８６Ｄに設けられた回折格子の格子角度を第１の実施の形態と比して大きくしたことにより、回折角度の小さい分割光ビームＬ１７Ｃ及びＬ１７Ｄを検出領域３２Ｃ及び３２Ｄで受光しつつ、回折角度の大きい回折迷光ＵＭを完全に検出領域３２Ａ〜３２Ｍから外すことができ、かくして回折迷光の影響を効果的に排除し得る光ピックアップ及び光ディスク装置を実現することができる。
【０１７６】
（３）他の実施の形態
なお上述した第１の実施の形態においては、分割導光部４７における導光領域４７Ｇが、上下部分が中央部分と比して突出したＩの字形状を有するようにした場合について述べたが、本発明はこれに限らず、例えば図３０に示すように、導光領域４７Ｇａが長方形状を有するようにしても良い。この場合であっても、上述した第１の実施の形態と同様の効果を得ることができる。
【０１７７】
また上述の実施の形態においては、第２の受光部としての検出領域３２Ｉ及び３２Ｌが反射光ビームＬ１４及びＬ１５における帯状の中心部分を受光するようにした場合について述べたが、本発明はこれに限らず、第２の受光部が例えば迷光を検出するようにしても良い。この場合であっても、第２の受光部から回折迷光の影響を除去することができるため、第２の受光部が迷光を正確に検出することが可能である。
【０１７８】
さらに上述の実施の形態においては、トラッキングエラー信号ＳＴＥを生成するための反射光ビームＬ１３のうち、対物レンズ２５のトラックに対するずれ量を検出するための分割光ビームＬ１７Ｃ及びＬ１７Ｄを通過させる導光領域４７Ｃ及び４７Ｄに本発明を適用するようにした場合について述べたが、本発明はこれに限らず、例えば導光領域４７Ａ、４７Ｂ、４７Ｅ及び４７Ｆなどに適用したり、導光領域４６Ａ〜４６Ｄに適用するようにしても良い。
【０１７９】
さらに上述の実施の形態においては、２つの導光領域４７Ｃ及び４７Ｄにおける回折格子の格子角度が同一であるようにした場合について述べたが、本発明はこれに限らず、必ずしも同一である必要はなく、その格子角度にも制限はない。
【０１８０】
さらに上述の実施の形態においては、検出領域３２Ａ〜３２Ｆと、検出領域３２Ｉ及び３２Ｌとが水平方向（左右方向）に一直線上に配置されているようにした場合について述べたが、本発明はこれに限らず、例えば水平方向に垂直な方向（鉛直方向）にずらして配置するようにしても良い。
【０１８１】
さらに上述の実施の形態においては、導光領域４７Ｃ及び４７Ｄが多段状に鋸歯形状の回折格子が形成されたブレーズドＨＯＥでなるようにした場合について述べたが、本発明はこれに限らず、斜面と垂直面とからなる理想形のブレーズドＨＯＥでなるようにしても良い。この場合、例えば２次の回折光ビームでなる回折迷光ＵＭの影響を低減するために本発明を適用することもできる。
【０１８２】
さらに上述の実施の形態においては、分割導光パターン切換部４１において２通りの分割パターンのいずれかに切り換えるようにした場合について述べたが、本発明はこれに限らず、例えばＤＶＤ−Ｒ（Digital Versatile Disc-Recordable）に対してＢＤ−ＲＯＭディスク用のトラッキング制御又はＢＤ−ＲＥディスク用のトラッキング制御とは異なるトラッキング制御を行う場合等、３通り以上の分割パターンのいずれかに切り換えるようにしても良い。
【０１８３】
このとき、分割パターンの数が多い場合に反射光ビームＬ１３の偏光方向を切り換えるだけでは全ての分割パターンに対応し得ない可能性があるため、必要に応じて、例えば多数の分割導光板をメカニカルに切り換える等の手法を用いれば良い。
【０１８４】
さらに上述した実施の形態においては、光ディスク装置１において光ディスク１００から情報を再生する際におけるトラッキングエラー信号の生成時に本発明を適用する場合について述べたが、これに限らず、例えば当該光ディスク１００に情報を記録する際におけるトラッキングエラー信号の生成時に本発明を適用するようにしても良い。
【０１８５】
さらに上述した実施の形態においては、ブレーズドＨＯＥとしての分割導光部４７と、第１の受光部としての検出領域３２Ｃ及び３２Ｄと、第２の受光部としての検出領域３２Ｉ及び３２Ｌとによって光ピックアップとしての光ピックアップ２０を構成する場合について述べたが、本発明はこれに限らず、その他種々の構成でなるブレーズドＨＯＥと、第１の受光部と、第２の受光部とによって本発明の光ピックアップを構成するようにしても良い。
【０１８６】
さらに上述した実施の形態においては、ブレーズドＨＯＥとしての分割導光部４７と、第１の受光部としての検出領域３２Ｃ及び３２Ｄと、第２の受光部としての検出領域３２Ｉ及び３２Ｌとによって光ディスク装置としての光ディスク装置１を構成する場合について述べたが、本発明はこれに限らず、その他種々の構成でなるブレーズドＨＯＥと、第１の受光部と、第２の受光部とによって本発明の光ディスク装置を構成するようにしても良い。
【産業上の利用可能性】
【０１８７】
本発明は、光ビームを用いて光記録媒体に情報を記録し又は再生する種々の光情報装置でも利用できる。
【図面の簡単な説明】
【０１８８】
【図１】光ディスク装置の全体構成を示すブロック図である。
【図２】光ピックアップの構成を示す略線的斜視図である。
【図３】光集積素子の構成を示す略線図である。
【図４】分割導光部の構成（１）を示す略線図である。
【図５】分割導光部の構成（２）を示す略線図である。
【図６】分割導光部の構成（３）を示す略線図である。
【図７】フォトディテクタにおける検出領域の配置を示す略線図である。
【図８】反射光ビームの分割及び導光の説明に供する略線図である。
【図９】フォトディテクタの検出領域に形成されるビームスポットの様子を示す略線図である。
【図１０】スポットサイズ法によるフォーカスエラー信号の生成（１）の説明に供する略線的斜視図である。
【図１１】スポットサイズ法によるフォーカスエラー信号の生成（２）の説明に供する略線的斜視図である。
【図１２】光ピックアップ内の光路（１）を示す略線図である。
【図１３】光ピックアップ内の光路（２）を示す略線図である。
【図１４】光ピックアップ内の光路（３）を示す略線図である。
【図１５】分割導光部における迷光の説明に供する略線図である。
【図１６】層間迷光の照射パターン（１）を示す略線図である。
【図１７】層間迷光の照射パターン（２）を示す略線図である。
【図１８】ブレーズドＨＯＥの詳細な構成を示す略線図である。
【図１９】回折迷光の発生の説明に供する略線図である。
【図２０】回折迷光の受光の説明に供する略線図である。
【図２１】回折迷光による影響の説明に供する略線図である。
【図２２】第１の実施の形態における分割導光部の構成を示す略線図である。
【図２３】第１の実施の形態による回折迷光及びビームスポットの形状の様子を示す略線図である。
【図２４】第１の実施の形態によるフォトディテクタの検出領域に形成されるビームスポットの様子を示す略線図である。
【図２５】第２の実施の形態における光ピックアップの構成を示す略線図である。
【図２６】第２の実施の形態における分割導光パターン切替部の構成を示す略線図である。
【図２７】第２の実施の形態における分割導光部の構成を示す略線図である。
【図２８】第２の実施の形態における分割導光部の構成及びビームスポットの様子（１）を示す略線図である。
【図２９】第２の実施の形態における迷光スポットの受光の説明に供する略線図である。
【図３０】他の実施の形態による分割導光部の構成を示す略線図である。
【符号の説明】
【０１８９】
１……光ディスク装置、１９……信号演算部、２０……光ピックアップ、２０、２１……分割導光板、３２……フォトディテクタ、３２Ａ〜３２Ｍ……検出領域、４１……分割導光パターン切換部、１１……システムコントローラ、２１……光集積素子、３２……フォトディテクタ、３２Ａ〜３２Ｍ……検出領域、４４……フォーカスサーボ用ホログラム、４５……アクティブ波長板、４６、４７……分割導光部、４６Ａ〜４６Ｄ、４７Ａ〜４７Ｇ……導光領域、５０……フロントエンド回路、１００……光ディスク、Ｌ１２、Ｌ１３、Ｌ１４、Ｌ１５……反射光ビーム、Ｌ１６Ａ〜Ｌ１６Ｄ、Ｌ１７Ａ〜Ｌ１７Ｇ……分割光ビーム、Ｐ１Ａ〜Ｐ１Ｄ、Ｐ２Ａ〜Ｐ２Ｆ、Ｐ１１Ａ〜Ｐ１１Ｄ、Ｐ１２Ａ〜Ｐ１２Ｇ……ビームスポット、ＵＭ、ＵＭａ、ＵＭｂ、ＵＭｃ、ＵＭｄ、ＵＭｅ、ＵＭｆ……回折迷光。
【図１】
2008282454.tif 000010
【図２】
2008282454.tif 000011
【図３】
2008282454.tif 000012
【図４】
2008282454.tif 000013
【図５】
2008282454.tif 000014
【図６】
2008282454.tif 000015
【図７】
2008282454.tif 000016
【図８】
2008282454.tif 000017
【図９】
2008282454.tif 000018
【図１０】
2008282454.tif 000019
【図１１】
2008282454.tif 000020
【図１２】
2008282454.tif 000021
【図１３】
2008282454.tif 000022
【図１４】
2008282454.tif 000023
【図１５】
2008282454.tif 000024
【図１６】
2008282454.tif 000025
【図１７】
2008282454.tif 000026
【図１８】
2008282454.tif 000027
【図１９】
2008282454.tif 000028
【図２０】
2008282454.tif 000029
【図２１】
2008282454.tif 000030
【図２２】
2008282454.tif 000031
【図２３】
2008282454.tif 000032
【図２４】
2008282454.tif 000033
【図２５】
2008282454.tif 000034
【図２６】
2008282454.tif 000035
【図２７】
2008282454.tif 000036
【図２８】
2008282454.tif 000037
【図２９】
2008282454.tif 000038
【図３０】
2008282454.tif 000039